(57)【要約】【課題】縮小ページ画像（いわゆるサムネイル画像）を見やすい大きさに表示することのできる技術を提供する。【解決手段】投写型表示装置は、複数のページを含むデータファイルから画像データを生成する画像処理部と、前記画像データに応じて画像光を形成する電気光学装置と、前記電気光学装置で得られた画像光を投写する投写光学系と、投写面上の表示を切り替える画面切替操作が可能な操作部とを備える。前記画像処理部は、前記データファイルの指定されたページの画像を全画面表示する第１の表示モードと、前記データファイルの指定されたページの画像が全画面表示されている全画面表示領域の少なくとも一部に、当該データファイルの縮小ページ画像群を重畳して表示する第２の表示モードとを備える。前記画像処理部は、前記操作部からの画面切替要求に応じて、前記第１の表示モードと前記第２の表示モードとを相互に切替可能である。【選択図】図２
2010038938.tif 000002
【特許請求の範囲】
【請求項１】
画像を投写して表示する投写型表示装置であって、
複数のページを含むデータファイルから画像データを生成する画像処理部と、
前記画像データに応じて画像光を形成する電気光学装置と、
前記電気光学装置で得られた画像光を投写する投写光学系と、
投写面上の表示を切り替える画面切替操作が可能な操作部と、
を備え、
前記画像処理部は、
前記データファイルの指定されたページの画像を全画面表示する第１の表示モードと、
前記データファイルの指定されたページの画像が全画面表示されている全画面表示領域の少なくとも一部に、当該データファイルの縮小ページ画像群を重畳して表示する第２の表示モードと、
を備え、
前記画像処理部は、前記操作部からの画面切替要求に応じて、前記第１の表示モードと前記第２の表示モードとを相互に切替可能である、投写型表示装置。
【請求項２】
請求項１記載の投写型表示装置であって、
前記操作部は、前記第２の表示モード中において、前記縮小ページ画像群のうちの任意の画像を選択するための選択操作が可能であり、
前記画像処理部は、前記操作部からの選択要求に応じて、選択された画像を前記第１の表示モードにて表示する、投写型表示装置。
【請求項３】
請求項１または２記載の投写型表示装置であって、
前記第２の表示モードは、前記全画面表示領域全体に、当該ファイルの縮小ページ画像群を重畳して表示する、投写型表示装置。
【請求項４】
請求項１ないし３のいずれか一項記載の投写型表示装置であって、
前記第２の表示モードは、
前記全画面表示領域の一端に設けられた小領域に前記縮小ページ画像群を重畳して表示する第１のサブモードと、
前記全画面表示領域の全体に前記縮小ページ画像群を重畳して表示する第２のサブモードと、
を備え、
前記画像処理部は、前記操作部からの要求に応じて、前記第１のサブモードと前記第２のサブモードとを切替可能である、投写型表示装置。
【請求項５】
画像投写表示方法であって、
（ａ）コンピュータが、複数の表示モードの中から選択された表示モードに従って画像を投写表示する工程と、
（ｂ）前記コンピュータが、表示切替要求に応じて前記表示モードを切り替える工程と、
を備え、
前記複数の表示モードは、
複数のページを含むデータファイルの指定されたページの画像を全画面表示する第１の表示モードと、
前記データファイルの指定されたページの画像が全画面表示されている全画面表示領域の少なくとも一部に、当該データファイルの縮小ページ画像群を重畳して表示する第２の表示モードと、
を含み、
前記工程（ｂ）は、前記第１の表示モードと前記第２の表示モードとを相互に切り替える工程を含む、画像投写表示方法。
【請求項６】
コンピュータプログラムであって、
複数の表示モードの中から選択された表示モードに従って画像を投写表示する投写表示機能と、
表示切替要求に応じて前記表示モードを切り替える表示切替機能と、
をコンピュータに実現させるコンピュータプログラムであり、
前記複数の表示モードは、
複数のページを含むデータファイルの指定されたページの画像を全画面表示する第１の表示モードと、
前記データファイルの指定されたページの画像が全画面表示されている全画面表示領域の少なくとも一部に、当該データファイルの縮小ページ画像群を重畳して表示する第２の表示モードと、
を含み、
前記表示切替機能は、前記第１の表示モードと前記第２の表示モードとを相互に切り替える機能を含む、コンピュータプログラム。
【発明の詳細な説明】
【技術分野】
【０００１】
本発明は、画像を投写して表示する技術に関する。
【背景技術】
【０００２】
画像を投写して表示する技術としては、メモリカードから画像データを読み出して投影面上にサムネイル表示を行う際に、そのアスペクト比の差によって生じる画像の余白部にサムネイルを表示するものが知られている（例えば、特許文献１）。
【０００３】
【特許文献１】特開２００６−３３９５号公報
【０００４】
従来は、アスペクト比の差によって生じる画像の余白部にサムネイル表示を行っていたため、サムネイル画像の表示が小さくなってしまうという問題があった。
【発明の開示】
【発明が解決しようとする課題】
【０００５】
本発明は、縮小ページ画像（いわゆるサムネイル画像）を見やすい大きさに表示することのできる技術を提供することを目的とする。
【課題を解決するための手段】
【０００６】
本発明は、上述の課題の少なくとも一部を解決するためになされたものであり、以下の形態又は適用例として実現することが可能である。
【０００７】
[適用例１]
画像を投写して表示する投写型表示装置であって、複数のページを含むデータファイルから画像データを生成する画像処理部と、前記画像データに応じて画像光を形成する電気光学装置と、前記電気光学装置で得られた画像光を投写する投写光学系と、投写面上の表示を切り替える画面切替操作が可能な操作部と、を備え、前記画像処理部は、前記データファイルの指定されたページの画像を全画面表示する第１の表示モードと、前記データファイルの指定されたページの画像が全画面表示されている全画面表示領域の少なくとも一部に、当該データファイルの縮小ページ画像群を重畳して表示する第２の表示モードと、を備え、前記画像処理部は、前記操作部からの画面切替要求に応じて、前記第１の表示モードと前記第２の表示モードとを相互に切替可能である、投写型表示装置。
こうすれば、現在投写されているページの画像に縮小ページ画像群を重ねて表示するため、縮小ページ画像を表示する際の領域に制約を受けない。この結果、縮小ページ画像（いわゆるサムネイル画像）を見やすい大きさに表示することができる。この結果、投写画像を用いたプレゼンテーションの進行をよりスムーズに行うことができる。
【０００８】
[適用例２]
適用例１記載の投写型表示装置であって、前記操作部は、前記第２の表示モード中において、前記縮小ページ画像群のうちの任意の画像を選択するための選択操作が可能であり、  前記画像処理部は、前記操作部からの選択要求に応じて、選択された画像を前記第１の表示モードにて表示する、投写型表示装置。
こうすれば、縮小ページ画像群から選択された任意のページへ画面投写を切り替えることができる。
【０００９】
[適用例３]
適用例１または２記載の投写型表示装置であって、前記第２の表示モードは、前記全画面表示領域全体に、当該ファイルの縮小ページ画像群を重畳して表示する、投写型表示装置。
こうすれば、投写面の全体を用いて縮小ページ画像を表示することができるため、多数の縮小ページ画像を同時に表示することができる。
【００１０】
[適用例４]
適用例１ないし３のいずれか一項記載の投写型表示装置であって、前記第２の表示モードは、前記全画面表示領域の一端に設けられた小領域に前記縮小ページ画像群を重畳して表示する第１のサブモードと、前記全画面表示領域の全体に前記縮小ページ画像群を重畳して表示する第２のサブモードと、を備え、前記画像処理部は、前記操作部からの要求に応じて、前記第１のサブモードと前記第２のサブモードとを切替可能である、投写型表示装置。
こうすれば、縮小ページ画像の配置を変えた複数のサブモードを、用途に応じて使い分けることができる。
【００１１】
なお、本発明は、種々の態様で実現することが可能である。例えば、投写型表示装置および方法、投写型表示装置システム、それらの方法または装置の機能を実現するためのコンピュータプログラム、そのコンピュータプログラムを記録した記録媒体等の形態で実現することができる。
【発明を実施するための最良の形態】
【００１２】
次に、本発明の実施の形態を実施例に基づいて以下の順序で説明する。
Ａ．実施例：
Ｂ．変形例：
【００１３】
Ａ．実施例：
図１は、本発明の一実施例としての投写型表示装置およびその外部装置の概略構成を示す説明図である。この投写型表示装置１００（以降、「プロジェクタ」とも呼ぶ。）には、外部装置として、スクリーンＳＣと、リモコン３００と、パーソナルコンピュータＰＣと、メモリ媒体ＭＳとが設けられている。プロジェクタ１００とパーソナルコンピュータＰＣとは、ＵＳＢケーブルによって接続されている。プロジェクタ１００は、パーソナルコンピュータＰＣ上に存在する任意の種類のファイルをスクリーンＳＣ上に投写することができる。また、プロジェクタ１００は、メモリ媒体ＭＳを挿入するためのインタフェースを有している。このインタフェースにメモリ媒体ＭＳを挿入することにより、プロジェクタ１００は、メモリ媒体ＭＳ上に存在する任意の種類のファイルをスクリーンＳＣ上に投写することができる。さらに、プロジェクタ１００は、画像供給装置（図示省略）から供給されるアナログ画像信号ＡＶ１に基づいて、ＡＶ１と同じ画像をスクリーンＳＣ上に投写することができる。このプロジェクタ１００は、リモコン３００を用いて遠隔で操作するほか、プロジェクタ１００本体に操作パネルを設けて、直接操作するようにしてもよい。
【００１４】
図２は、図１のプロジェクタ１００の内部構成の一例を示す説明図である。プロジェクタ１００は、ＣＰＵ１０５と、アナログ画像信号入力部１１０と、画像処理部１２０と、フレームメモリ１２５と、液晶ライトバルブ駆動部１３０と、電気光学装置としての液晶ライトバルブ１３５と、ＵＳＢインタフェース部１４０と、外部記憶装置１４５と、内部記憶装置１５０と、リモコン信号処理部１５５と、メモリ媒体制御部１６０と、照明光学系２００と、投写光学系２０５とを備えている。また、液晶ライトバルブ駆動部１３０、液晶ライトバルブ１３５、照明光学系２００、投写光学系２０５を除く各部は、バス１０５ｂで接続されている。
【００１５】
ＣＰＵ１０５は、プロジェクタ１００の各部を制御するための電子回路である。アナログ画像信号入力部１１０は、外部の画像供給装置（図示省略）からアナログ画像信号ＡＶ１が供給される場合には、アナログ画像信号ＡＶ１をＡＤ変換し、デジタル画像データＤＶ１を出力する機能を有している。なお、アナログ画像信号ＡＶ１としては、例えば、パーソナルコンピュータから供給されたコンピュータ画像を表すＲＧＢ信号や、ビデオレコーダやテレビジョン受信機から供給された動画を表すコンポジット画像信号などの画像信号がある。ＵＳＢインタフェース部１４０は、パーソナルコンピュータＰＣから供給される任意の種類のデータファイルＡＦを受け取り、バス１０５ｂを介して内部記憶装置１５０に供給する機能を有している。
【００１６】
メモリ媒体制御部１６０は、メモリ媒体ＭＳに格納されたデータファイルＡＦを読み取り、バス１０５ｂを介して内部記憶装置１５０に供給する機能を有している。なお、メモリ媒体ＭＳは種々のものが利用可能である。例えば、ＵＳＢメモリ、メモリカード（薄型でカードのような外見の補助記憶装置）を利用することもできるが、これらに限定されるものではない。リモコン信号処理部１５５は、リモコン３００からの制御信号に基づいてプロジェクタ１００の各部の機能を制御する。例えば、リモコン信号処理部１５５は、リモコン３００からの制御信号に基づいて、画像処理部１２０の機能を制御し、ページ画像にサムネイル画像を重畳させることができる。
【００１７】
内部記憶装置１５０は、図示しないＲＯＭやＲＡＭからなり、供給されたデータファイルＡＦを格納するための記憶領域（図示省略）と、データファイルＡＦからページ毎の画像データ（以降、「ページ画像データ」とも呼ぶ。）を取得するためのリーダ１５１と、を備えている。リーダ１５１は、データファイルＡＦの拡張子やヘッダの情報等からデータファイルＡＦの種類を判別する。そして、データファイルＡＦが作成されたアプリケーションのデータ形式に沿ってファイルの内容を解析し、ページ画像データを取得する。リーダ１５１は、取得したページ画像データを、バス１０５ｂを介して画像処理部１２０に供給する。なお、このリーダ１５１は、プロジェクタ１００で表示可能なアプリケーションが複数ある場合には、アプリケーション毎に複数備える構成とすることが好ましい。例えば、パワーポイントファイル用にはパワーポイントファイルリーダを備える構成とし、同様に、ＰＤＦファイル用にはＰＤＦファイルリーダを、エクセルファイル用にはエクセルファイルリーダを備える構成とすることが好ましい。また、データファイルＡＦは、内部記憶装置１５０以外の任意の場所に格納することもできる。例えば、データファイルＡＦを、外部記憶装置またはメモリ媒体ＭＳに格納する構成とすることもできる。さらに、データファイルＡＦがメモリ媒体ＭＳ中に存在するファイルである場合、記憶領域には格納せずにメモリ媒体ＭＳから直接読み出す構成とすることも可能である。外部記憶装置１４５は、図示しないハードディスクからなる記憶装置である。リフレッシュ動作が不要であるため、使用頻度の高いデータファイルＡＦの保存に適している。
【００１８】
画像処理部１２０は、サムネイル処理部１２１と、ページ処理部１２２と、画像合成部１２３とを備えている。ページ処理部１２２は、バス１０５ｂを介して受け取ったページ画像データを画像合成部１２３へ供給する。この際に、ページ画像データに対して、例えば色補正を行う等、何らかの画像処理を施してもよい。
【００１９】
サムネイル処理部１２１は、バス１０５ｂを介して受け取ったページ画像データから縮小ページ画像データを生成し、図示しないバッファメモリに一旦書き込む。以降、この「縮小ページ」のことを「サムネイル」とも呼ぶ。そして、サムネイル処理部１２１は、スクリーンＳＣに表示するサムネイル画像群（以降、「サムネイル一覧」とも呼ぶ。）の画像データを生成し、画像合成部１２３へ供給する。このサムネイル一覧の画像データは、投写面上に表示可能な数のサムネイルを並べて整列した画像データとして生成される。フレームメモリ１２５は、スクリーンＳＣに表示される画像の画像データを一時的に記憶する。
【００２０】
画像合成部１２３は、ページ処理部１２２から供給されるページ画像データと、サムネイル処理部１２１から供給されるサムネイル一覧の画像データとを合成した、合成画像データを生成する機能を有している。これにより、ページ画像データによって表される画像に、サムネイル一覧の画像データによって表されるサムネイル（縮小ページ画像）が重畳された画像をスクリーンＳＣ上に表示させることができる。画像合成部１２３は、供給されたページ画像データをフレームメモリ１２５に一旦書き込む。そして、サムネイル表示の要求があった場合には、フレームメモリ１２５に書き込まれたページ画像データを読み出す際に、ページ画像データとサムネイル一覧の画像データとを合成し、合成された画像データＤＶ２を液晶ライトバルブ駆動部１３０に供給する。
【００２１】
液晶ライトバルブ駆動部１３０は、画像合成部１２３から供給された画像データＤＶ２に応じて、画像表示データＳＤを生成する。液晶ライトバルブ１３５は、画像表示データＳＤに基づいて駆動される。このとき、液晶ライトバルブ１３５は、照明光学系２００からの光を変調し、画像を表す画像光を形成する。液晶ライトバルブ１３５は、照明光学系２００によってほぼ均一に照明されており、液晶ライトバルブ１３５において形成された画像光は、投写光学系２０５によってスクリーンＳＣ上に投写される。なお、図２において、照明光学系２００、投写光学系２０５の図示は簡略化されている。
【００２２】
図３は、リモコン３００の一例を示す説明図である。このリモコン３００は、サムネイルボタン３１０と、十字キー３２０と、決定ボタン３３０と、キャンセルボタン３４０と、メニューボタン３５０と、蓋３６０とを備えている。また、図３（Ａ）、（Ｂ）は、それぞれリモコン３００の蓋３６０が閉じた状態と開いた状態とを示している。
【００２３】
図４は、リモコン３００を用いてプロジェクタ１００の投写画面を切り替える処理についての説明図である。図４（Ａ）は、通常の画像表示が行われている場合に、スクリーンＳＣ上に全画面表示される画像の例を示している。この全画面表示とは、ウィンドウ枠やツールバー、タイトルバー等がない、コンテンツの中身のみの表示であることを意味する。このようにページＰ１が全画面表示されている状態で、サムネイルボタン３１０を押下すると、サムネイル一覧を表示することができる（図４（Ｂ））。このサムネイル一覧は、図４（Ｂ）、（Ｂ１）に示すような投写面の一部にサムネイルを並べて表示する第１のサブモード（以降、「小サムネイル一覧」とも呼ぶ。）と、図４（Ｃ）、（Ｃ１）に示すような投写面全体にサムネイルを並べて表示する第２のサブモード（以降、「大サムネイル一覧」とも呼ぶ。）と、を含んでいる。サムネイル処理部１２１（図２）は、リモコン３００からの切替要求と各種設定項目についての設定値をもとに、必要な形のサムネイル一覧の画像データを生成し、画像合成部１２３（図２）へ供給する。各種設定項目についての設定値は、あらかじめ内部記憶装置１５０（図２）に格納されている。この設定値は、利用者がリモコン３００を操作することによって、変更可能とすることが好ましい。以下に設定項目の例を挙げる。
・サムネイル画像の１枚あたりのサイズ（または縮小率）
・小サムネイル一覧画面のサイズ
・小サムネイル一覧画面の表示方法（例えば、投写面の左端に表示、投写面の下端に表示）
・サムネイル一覧のカーソル初期位置（例えば、先頭ページをデフォルト、現在表示中のページをデフォルト）
【００２４】
図４（Ｂ）〜（Ｂ２）は、小サムネイル一覧による画面遷移が行われる場合に、スクリーンＳＣ上に表示される画像の例を示している。サムネイルボタン３１０の押下により、ページＰ１の左端部分に、小サムネイル一覧が表示されていることが分かる。図４（Ｂ）では、小サムネイル一覧に４つのサムネイルＴＰ１〜ＴＰ４が表示されている。また、現在ページであるページＰ１を示すサムネイルＴＰ１の上に、サムネイルを選択するためのカーソルが表示されている。この状態で、十字キー３２０を押下すると、そのキーの方向にカーソルが移動し、任意のサムネイルを選択することができる。具体的には、図４（Ｂ１）に示すように、十字キー３２０の下方向キーを押下することによって、小サムネイル一覧をスクロールすることができる。このようにサムネイル一覧がスクロールされた場合、サムネイル処理部１２１（図２）は、その都度サムネイル一覧の画像データを生成し、画像合成部１２３（図２）へ供給する。画像合成部１２３は、フレームメモリ１２５に書き込まれたページ画像データを読み出す際に、ページ画像データとサムネイル一覧の画像データとを合成し、合成された画像データＤＶ２を液晶ライトバルブ駆動部１３０に供給する。任意のサムネイル（図ではサムネイルＴＰ６）を選択した状態で決定ボタン３３０を押下すると、図４（Ｂ２）に示すように、スクリーンＳＣ上に選択したページ（図ではページＰ６）が表示される。なお、図４（Ｂ）、（Ｂ１）のように、小サムネイル一覧を表示した状態で、さらにサムネイルボタン３１０を押下すると、図４（Ｃ）の画面へ遷移する。また、図４（Ｂ）、（Ｂ１）のように、小サムネイル一覧を表示した状態で、キャンセルボタン３４０を押下すると、図４（Ａ）の画面へ遷移する。なお、キャンセルボタン３４０による画面遷移は便宜上、図示を省略した。
【００２５】
図４（Ｃ）〜（Ｃ２）は、大サムネイル一覧による画面遷移が行われる場合に、スクリーンＳＣ上に表示される画像の例を示している。小サムネイルが表示されている状態でのサムネイルボタン３１０の押下により、ページＰ１が表示されている画面全体に、大サムネイル一覧が表示されていることが分かる。図４（Ｃ）では、大サムネイル一覧に９つのサムネイルＴＰ１〜ＴＰ９が表示されている。また、現在ページであるページＰ１を示すサムネイルＴＰ１の上に、サムネイルを選択するためのカーソルが表示されている。この状態で、十字キー３２０を押下すると、そのキーの方向にカーソルが移動し、図４（Ｃ１）に示すように任意のサムネイルを選択することができる。また、サムネイルの枚数が多い場合は、大サムネイル画面をスクロールさせることによって、全てのサムネイルを表示させる方法を採用することができる。具体的には、サムネイルＴＰ７、ＴＰ８、ＴＰ９いずれかの位置にカーソルがある場合に、なお下方向キーが押下された場合、一画面に表示するサムネイルをＴＰ４〜ＴＰ１２にする方法が考えられる。このスクロール時における、サムネイル処理部１２１（図２）および画像合成部１２３（図２）の処理については、図４（Ｂ１）で説明した通りである。任意のサムネイル（図ではサムネイルＴＰ８）を選択した状態で決定ボタン３３０を押下すると、図４（Ｃ２）に示すように、スクリーンＳＣ上に選択したページ（図ではページＰ８）が表示される。なお、図４（Ｃ）、（Ｃ１）のように、大サムネイル一覧を表示した状態で、さらにサムネイルボタン３１０もしくはキャンセルボタン３４０を押下すると、図４（Ａ）の画面へ遷移する。なお、キャンセルボタン３４０による画面遷移は便宜上、図示を省略した。
【００２６】
このように、サムネイル一覧画面を現在表示中のページ画像に重ねて表示することによって、表示領域の制約を受けることなく、サムネイル一覧画面を表示することができる。この結果、１つ１つのサムネイル画像を見やすい大きさに表示することが可能となる。また、小サムネイル画面と大サムネイル画面とを用意し、相互に切替可能とすることによって、用途に応じてサムネイル画面を選択することができる。さらに、サムネイルの表示方法についての項目を設定可能とすることにより、サムネイルの大きさ等を変更することができ、より柔軟性の高いサムネイル表示を行うことができる。これらの結果、利用者がプレゼンテーションをスムーズに進めるための、効果的なサムネイル表示を行うことが可能となる。
【００２７】
Ｂ．変形例： 
なお、この発明は上記の実施例や実施形態に限られるものではなく、その要旨を逸脱しない範囲において種々の態様において実施することが可能であり、例えば次のような変形も可能である。
【００２８】
Ｂ１．変形例１：
上記実施例では、小サムネイル画面に一度に表示されるサムネイルの枚数は４枚、大サムネイル画面に一度に表示されるサムネイルの枚数は９枚であるものとしたが、一度に表示されるサムネイルの枚数は、サムネイル画像のサイズとの関係で、任意に設定することができる。例えば、あらかじめ表示するサムネイルの枚数を決めておき、内部記憶装置の設定値として格納しておくことができる。また、サムネイル画像の１枚あたりのサイズ（縮小率）から、画面に表示可能なサムネイルの枚数を計算することで決定することも可能である。
【００２９】
Ｂ２．変形例２：
上記実施例では、サムネイル一覧は、現在ページの画像の上にサムネイル画像を並べて表示するのみであるとしたが、このサムネイルの表示方法については、種々の方法を採用することができる。例えば、以下のような方法を採用することができる。
・小サムネイル一覧画面と大サムネイル一覧画面との間の遷移をなくし、いずれか片方のみを表示する。
・サムネイル画像を見やすくするために、サムネイル画像の下に半透明な色付き背景を設ける。
・サムネイル画像の周囲に、当該サムネイルが何ページ目を示すサムネイル画像であるかを示す数字等を表示する。例えば、小サムネイル一覧の場合はサムネイル画像の左側にページを示す数字を表示し、大サムネイル一覧の場合はサムネイル画像の右下にページを示す数字を表示する。
【００３０】
上記した実施例では、投写型表示装置として、プロジェクタを対象としていたが、本発明はこれに限定されるものではなく、テレビジョンや、ディスプレイ（携帯電話や携帯情報端末などの表示画面も含む）や、オーロラビジョンなどを対象とするようにしてもよい。
【００３１】
上記実施形態では、電気光学装置として、透過型の液晶ライトバルブを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００３２】
上記実施形態では、照明光学系２００は、光源ランプによって構成されているが、ＬＥＤ（Light Emitting Diode：発光ダイオード）光源等の固体光源や、その他の光源を用いることもできる。
【図面の簡単な説明】
【００３３】
【図１】本発明の一実施例としての投写型表示装置およびその外部装置の概略構成を示す説明図である。
【図２】図１のプロジェクタ１００の内部構成の一例を示す説明図である。
【図３】リモコン３００の一例を示す説明図である。
【図４】リモコン３００を用いてプロジェクタ１００の投写画面を切り替える処理についての説明図である。
【符号の説明】
【００３４】
１００…投写型表示装置（プロジェクタ）、１０５…ＣＰＵ、１０５ｂ…バス、１１０…アナログ画像信号入力部、１２０…画像処理部、１２１…サムネイル処理部、１２２…ページ処理部、１２３…画像合成部、１２５…フレームメモリ、１３０…液晶ライトバルブ駆動部、１３５…液晶ライトバルブ、１４５…外部記憶装置、１５０…内部記憶装置、１５１…リーダ、１５５…リモコン信号処理部、１６０…メモリ媒体制御部、２００…照明光学系、２０５…投写光学系、３００…リモコン、３１０…サムネイルボタン、３２０…十字キー、３３０…決定ボタン、３４０…キャンセルボタン、３５０…メニューボタン、３６０…蓋
【図１】
2010038938.tif 000003
【図２】
2010038938.tif 000004
【図３】
2010038938.tif 000005
【図４】
2010038938.tif 000006